(57)【要約】  少なくとも１つの棚（６）を有する棚部分（５）を備える、製品のための棚アセンブリ（１）であり、当該棚部分は、棚が棚部分の前面（７）からアクセス可能である陳列位置と、棚が棚部分の背面（８）からアクセス可能である補充位置との間で、回転軸（１３）を中心として回転可能である。棚アセンブリは、棚部分を回転可能に支持し、かつ前後方向に移動可能であるスレッジ（１０）を有する支持体（９）を更に備える。棚部分が陳列位置から補充位置に回転されるとき、スレッジは、最初に前方に移動され、次いでその開始位置まで後方に戻される。棚部分は、対向する第１及び第２の側柱（１７、１８）を有するフレーム（１６）を更に備え、棚は、任意の高さで側柱間に据え付けられる。棚には、棚の両端にそれぞれのクランプ部分が設けられ、側柱に棚を固定する。各クランプ部分は、それぞれの側柱とその第１の表面で係合するフック部分と、側柱の反対側の第２の表面と係合する締付部分とを備え、締付部分は、棚の任意の高さ移動のために締付け解除可能である。【選択図】図１
2021513428.tif 000002
【特許請求の範囲】
【請求項１】
後方境界面（２）によって奥行きが、及び側方境界面（３、４）によって側方が少なくとも限定された空間に製品を置くための棚アセンブリであって、前記棚アセンブリ（１）は、前面（７）及び背面（８）を有する棚部分（５）を有し、前記棚部分は棚（６）を備え、前記棚部分は、前記棚が前記棚部分の前記前面からアクセス可能である陳列位置と、前記棚が前記棚部分の前記背面からアクセス可能である補充位置との間で、回転軸（１３）を中心として回転可能であり、ここにおいて、前記棚アセンブリは支持体（９）を更に備え、前記支持体は、前記棚部分を回転可能に支持し、かつ前後方向に前記空間の奥行きにおいて移動可能であるスレッジ（１０）と、前記回転軸から距離をあけて前記棚部分とその底端部で枢動可能に連結された第１の端部（１２）を有し、及び前記支持体の固定部分（１５）と枢動可能に連結された第２の端部（１４）を有するアーム（１１）とを備え、その結果、前記棚部分が前記陳列位置から前記補充位置に回転されるときに、前記回転中に枢動する前記アームにより、前記スレッジは、最初に開始位置からある距離だけ前方に移動され、次いでその開始位置まで後方に戻され、ここにおいて、前記棚部分は、対向する第１及び第２の側柱（１７、１８）を有するフレーム（１６）を更に備え、ここにおいて、前記棚は、任意の高さで前記側柱間に据え付けられ、ここにおいて、前記棚には、前記棚の両端にそれぞれのクランプ部分（３０）が設けられ、ここにおいて、前記クランプ部分は、前記側柱に前記棚を固定し、ここにおいて、各クランプ部分は、それぞれの側柱とその第１の表面（３２）で係合するフック部分（３１）と、前記側柱の反対側の第２の表面（３４）と係合する締付部分（３３）とを備え、それによって、前記側柱は、前記フック部分と前記締付部分との間に挟持され、ここにおいて、前記締付部分は、前記棚の任意の高さ移動のために締付け解除可能である、棚アセンブリ。
【請求項２】
前記棚（６）は、その各端部に端板（３５）を備え、前記クランプ部分（３０）は、前記端板に取り付けられ、前記フック部分（３１）及び前記締付部分（３３）は、相互間隔を伴って前記端板に取り付けられ、前記フック部分は、前記端板から突出し、かつ前記側柱の前記第１の表面と係合する第１の縁面（３６）と、前記第１の縁面に垂直に延在し、かつ前記第１の表面（３２）に垂直に隣接して延在する前記側柱（１７、１８）の第３の表面（３８）と係合する第２の縁面（３７）とを備える、請求項１に記載の棚アセンブリ。
【請求項３】
前記締付部分（３３）は、前記端板（３５）に取り付けられるナット（３９）と、前記ナットに配置され、前記ナットから前記フック部分（３１）に向かって突出し、前記側柱（１７）の前記第２の表面（３４）と係合するねじ（４０）とを備え、前記ねじは、前記締付部分の締付けを解除するために緩められるように配置される、請求項１又は２に記載の棚アセンブリ。
【請求項４】
前記スレッジ（１０）には、前記スレッジの下側に車輪が設けられ、前記車輪は、ガイドトラック（２８）を走る、請求項１〜３のいずれか一項に記載の棚アセンブリ。
【請求項５】
頂部ホルダ（２２）を備え、前記棚部分（５）の頂部は、頂部ホルダと回転可能に連結され、前記頂部ホルダは、前記棚部分を支柱で支える、請求項１〜４のいずれか一項に記載の棚アセンブリ。
【請求項６】
前記頂部ホルダ（２２）は、前記棚部分（５）とその頂部で回転可能に連結され、かつ前後に伸縮する伸縮ビーム（２３）を備え、前記伸縮ビームは、前記棚アセンブリ（１）の固定部であるハウジング（２４）内を移動する、請求項１〜５のいずれか一項に記載の棚アセンブリ。
【発明の詳細な説明】
【技術分野】
【０００１】
本発明は、概して、製品用の棚を有する棚アセンブリに関する。棚アセンブリは、限られた空間に置かれるように配置され、棚が棚部分の前面からアクセス可能である少なくとも１つの陳列位置と、棚が棚部分の背面からアクセス可能である補充位置との間で回転可能である。
【背景技術】
【０００２】
スーパーマーケット及びデパートには、売り出された製品で満ちた多くの異なるタイプの棚アセンブリがある。これらの製品の多くは、賞味期限又は冷蔵の理由など様々な理由により、最後に供給された製品が棚の背部に配置されるように供給されなければならない。同時に、これは、最初に供給された製品が最初に販売されるという要件も満たす。回転可能な棚アセンブリは、これらの必要性を満たし、また、棚が空になり始めたときに更なる製品を棚に補充する作業も容易にする。ＥＰ２０９１３９１は、この種の先行技術の棚アセンブリを開示している。
【０００３】
しかしながら、ＥＰ２０９１３９１の棚アセンブリは、更に簡易化された補充動作の要求を生んでいる。
【発明の概要】
【０００４】
補充作業を簡易化することが有利となる。この懸念によりよく対処するために、本発明の第１の態様では、後方境界面によって奥行きが、及び側方境界面によって側方が少なくとも限定された空間に製品を置くための棚アセンブリが提示され、棚アセンブリは、前面及び背面を有する棚部分を有し、棚部分は棚を備え、棚部分は、棚が棚部分の前面からアクセス可能である陳列位置と、棚が棚部分の背面からアクセス可能である補充位置との間で回転軸を中心として回転可能であり、ここにおいて、棚アセンブリは支持体を更に備え、当該支持体は、棚部分を回転可能に支持し、かつ前後方向に空間の奥行きにおいて移動可能であるスレッジと、回転軸から距離をあけて棚部分とその底端部で枢動可能に連結された第１の端部を有し、及び支持体の固定部分と枢動可能に連結された第２の端部を有するアームとを備え、その結果、棚部分が陳列位置から補充位置に回転されるときに、回転中に枢動するアームにより、スレッジは、最初に開始位置からある距離だけ前方に移動され、次いでその開始位置まで後方に戻され、ここにおいて、棚部分は、対向する第１及び第２の側柱を有するフレームを更に備え、ここにおいて、棚は、任意の高さで側柱間に据え付けられ、ここにおいて、棚には、棚の両端にそれぞれのクランプ部分が設けられ、ここにおいて、クランプ部分は、側柱に棚を固定し、ここにおいて、各クランプ部分は、それぞれの側柱とその第１の表面で係合するフック部分と、側柱の反対側の第２の表面と係合する締付部分とを備え、それによって、側柱は、フック部分と締付部分との間に挟持され、ここにおいて、締付部分は、棚の任意の高さ移動のために締付け解除可能である。
【０００５】
上述の先行技術の棚部分とは対照的に、棚部分が陳列位置よりも補充位置において空間から突出しない回転の解決法と、任意に高さ調節可能である単数又は複数の棚との組合せは、補充作業を非常に簡易化する。
【０００６】
棚アセンブリの一実施形態によれば、棚は、その各端部に端板を備え、クランプ部分は、端板に取り付けられ、フック部分及び締付部分は、相互間隔を伴って端板に取り付けられ、フック部分は、端板から突出し、かつ側柱の第１の表面と係合する第１の縁面と、第１の縁面に垂直に延在し、かつ第１の表面に垂直に隣接して延在する側柱の第３の表面と係合する第２の縁面とを備える。それによって、フック部分は、有利に、各側柱のそれぞれの角の周りを把持し、棚の側方位置を固定する。
【０００７】
棚アセンブリの一実施形態によれば、締付部分は、側板に取り付けられるナットと、ナットに配置され、ナットからフック部分に向かって突出し、側柱の第２の表面と係合するねじとを備え、ねじは、締付部分の締付けを解除するために緩められるように配置される。ナット及びねじは、それ自体は古典的であるが、このコンテキストでは有利に単純である。
【０００８】
棚アセンブリの一実施形態によれば、スレッジには、スレッジの下側に車輪が設けられ、車輪は、ガイドトラックを走る。それによって、前後方向のスレッジの往復移動が良好に制御され、棚部分は、低摩擦かつ低力で移動される。
【０００９】
棚アセンブリの一実施形態によれば、頂部ホルダを備え、棚部分の頂部は、頂部ホルダと回転可能に連結され、頂部ホルダは、棚部分を支柱で支える。
【００１０】
棚アセンブリの一実施形態によれば、頂部ホルダは、棚部分とその頂部で回転可能に連結され、かつ前後に伸縮する伸縮ビームを備え、伸縮ビームは、棚アセンブリの固定部であるハウジング内を移動する。
【００１１】
本発明は、ここから、以下の添付図面を参照してより詳細に説明される。
【図面の簡単な説明】
【００１２】
【図１】空間に据えられた、本発明による棚アセンブリの一実施形態の概略的な斜視図を示す。
【図２】棚アセンブリの棚部分を回転させる動作を概略的に示す。
【図３】棚アセンブリの棚部分を回転させる動作を概略的に示す。
【図４】棚アセンブリの棚部分を回転させる動作を概略的に示す。
【図５】棚アセンブリの棚部分を回転させる動作を概略的に示す。
【図６】棚アセンブリの棚部分を回転させる動作を概略的に示す。
【図７】棚アセンブリの棚の一部の概略的な斜視図を示す。
【図８】棚アセンブリの棚の一部の概略的な斜視図を示す。
【実施形態の説明】
【００１３】
図１に示されるように、本発明による棚アセンブリ１の一実施形態は、後方境界面を提供する後壁２と、後壁２にその側縁で取り付けられた、側方境界面を提供する側壁３、４とによって画定される空間に配置される。後壁及び側壁２〜４は、概略的に示されているだけであり、実際には、それらは、任意の種類の壁、例えば、部屋の固定壁、店舗の冷蔵庫又は冷凍庫の壁、自立型商品棚の壁等とすることができる。棚アセンブリは、少なくとも１つの棚６を有する棚部分５を備える。通常、棚部分５は、垂直方向に離隔されたいくつかの棚６を備えるが、単一の棚の代替物も本出願によって包含される。棚部分５は、前面７と背面８を有し、棚が棚部分の前面からアクセス可能な、図１に示される少なくとも１つの陳列位置と、棚が棚部分５の背面８からアクセス可能な補充位置との間で、回転軸を中心として回転可能である。好ましくは、棚６は、重力供給の類いのものである。重力供給という用語は、それ自体は先行技術から既知であるように、棚６が傾斜して据え付けられ、棚６に置かれた製品が空間の開口部に向かって表面に沿って前方及び下方に移動することを可能にする表面が設けられていることを意味する。棚アセンブリ１は、棚部分５を回転可能に支持し、かつ空間の奥行きにおいて、前後方向に、すなわち空間の前方開口部に向かうのと後壁２に向かう往復運動で移動可能なスレッジ１０を備える支持体９を更に備える。棚部分５は、そのうちの１つが図中に見ることができる離隔した対向する第１及び第２の側柱１７、１８と、底部バー１９と、頂部バー２０とを有するフレーム１６を更に備える。棚６は、以下で更に説明されるように調節可能な任意の高さで側柱１７、１８間に据え付けられる。
【００１４】
スレッジの移動は、支持体９の固定部分１５において構成されるガイドトラック２８によってガイドされる。より具体的には、スレッジ１０には、スレッジ１０の下側に車輪が設けられ、当該車輪はガイドトラック２８を走る。
【００１５】
支持体９は、ベースプレート２９を更に備える。底部バー１９は、ベースプレート２９の上面に取り付けられ、回転装置（図示せず）が、ベースプレート２９の底面及びスレッジ１０の上面に取り付けられる。回転装置は、当業者に既知である任意の好適な一般的なタイプのもの、例えばボールベアリング構造等とすることができる。
【００１６】
図２を参照すると、棚６は、下にある支持体９を見せるために、上から透過して又は部分的に切り取られて示されており、支持体９は、棚部分５の回転の中心軸１３から距離をあけて、棚部分５とその底端部で枢動可能に連結された第１の端部１２と、支持体９の固定部分１５と枢動可能に連結された第２の端部１４とを有するアーム１１を更に備える。棚部分５が陳列位置から補充位置に回転されるときに、回転中に枢動するアーム１１により、スレッジ１０は、まず、図２に例示される開始位置からある距離だけ前方に移動され、次いでその開始位置まで後方に戻される。この距離は、回転中心軸１３とアーム１１の第２の端部における枢動連結部との間の距離に対応する。より具体的には、人が、中心から外れた、好ましくは一方側又は他方側に近い位置で棚部分５を掴み、それを引き始めると、スレッジ１０が前方に移動し始めながら棚部分５が回転し始める。この回転は、図２〜図６に段階的に示されており、人が棚部分５を図２の回転中心軸１３の左方に引くと仮定している。アーム１１は剛性であるので、棚部分５を前方に引くと、底部バー１９はアーム１１の第１の端部１２を中心として枢動し、それによってスレッジ１０は、その側方位置が固定されているので、前方に移動し始める。同時に、アーム１１は、その第２の端部１４を中心として、棚部分５の中心に向かって、すなわち図２の左方に枢動し始める。
【００１７】
棚アセンブリ１全体を上から見た図である図３〜図６に示されるように、この実施形態では、棚アセンブリ１は、棚部分５の底部にある支持体９に似た構造をその頂部に備える。より具体的には、棚部分５の頂部は、頂部ホルダ２２と回転可能に連結され、当該頂部ホルダ２２は、棚部分５を支柱で支える。頂部ホルダ２２は、支持体が十分に強く作られている場合には必要ないが、よりスリムな支持体９を可能にするのに有利である。頂部ホルダ２２は、棚部分５とその頂部で回転可能に連結され、かつ前後に伸縮する伸縮ビーム２３を備える。伸縮ビーム２３は、棚アセンブリ１の固定部であるハウジング２４内を移動する。支持体９と同様に、頂部ホルダは、支持体９のアーム１１と垂直方向に位置合わせされたアーム２５を備える。したがって、支持体９のアーム１１は、頂部ホルダ２２のアーム２５によって遮られているので図３〜図６では見えない。頂部ホルダ２２のアーム２５は、支持体９のアーム１１と同じ回転中心軸からの距離をあけて、頂部バー２０と、その第１の端部２６で枢動可能に連結される。アーム２５の第２の端部２７で、それはハウジング２４の後端部でハウジング２４と枢動可能に連結される。棚部分５を回転させる動作が継続されると、図３及び図４に示されるように、更に前方に移動され、それによって棚６が後壁２に当たることを回避する。スレッジ１０は、図４に示されるように、棚部分５が９０度回転したときに、その最前方位置に到達する。この位置では、頂部ホルダ２２のアーム２５はハウジング２４に沿って延在し、図ではその下に隠れている。図６に示される継続された回転中、スレッジ１０、ひいては棚部分５は、前後方向に開始位置まで後方に移動して戻る。ここで、棚部分５は、その補充位置に回転されており、空間の奥行きにおいて陳列位置と同じ位置を有する。その結果、棚６は、上述の先行技術の棚アセンブリのように空間から突出しない。アーム１１、２５は、それらの第１の端部が、陳列位置において中心回転軸１３の右側に配置されたときと同じ距離をあけて、回転中心軸１３の左側に配置される位置まで枢動している。
【００１８】
ここで図７及び図８を参照すると、棚６には、棚６の両端にそれぞれのクランプ部分３０が設けられ、ここにおいて、クランプ部分３０は、棚６を側柱１７、１８に固定する。各クランプ部分３０は、側柱１７の第１の表面３２でそれぞれの側柱１７、１８と係合するフック部分３１と、側柱１７の反対側の第２の表面３４と係合する締付部分３３とを備え、それによって、側柱１７は、フック部分３１と締付部分３３との間に挟持され、ここにおいて、締付部分３３は、棚６の任意の高さ移動のために締付け解除可能である。より具体的には、棚６は、その各端部に端板３５を備え、ここにおいて、クランプ部分３０は、端板３５に取り付けられ、フック部分３１及び締付部分３３は、相互間隔を伴って端板３５に取り付けられ、フック部分３１は、端板３５から突出し、かつ側柱の第１の表面３２と係合する第１の縁面３６と、第１の縁面３６に垂直に延在し、かつ第１の表面３２に垂直に隣接して延在する側柱１７の第３の表面３８と係合する第２の縁面３７とを備える。
【００１９】
締付部分３３は、側板３５に取り付けられるナット３９と、ナット３９に配置され、ナット３９からフック部分３１に向かって突出し、側柱１７の第２の表面３４と係合するねじ４０とを備え、ねじ４０は、締付部分３３の締付けを解除するために緩められるように配置される。
【００２０】
本発明は、図面及び前述の説明において詳細に例示及び説明されたが、そのような例示及び説明は、例示的又は実例的であり、限定的なものではないとみなされるべきである。本発明は、開示された実施形態に限定されるものではない。
【００２１】
開示された実施形態に対する他の変形は、図面、開示、及び添付の特許請求の範囲の参酌から、特許請求された発明を実施する際に当業者によって理解及び達成されることができる。特許請求の範囲において、「備える」という単語は他の要素又はステップを除外するものではなく、不定冠詞「a」又は「an」は複数性を除外しない。ある特定の手段が相互に異なる従属請求項に記載されているという単なる事実は、測定されたこれらの組合せが有利に使用できないことを示すものではない。特許請求の範囲におけるいずれの参照符号も、範囲を限定するものとして解釈されるべきではない。
【図１】
2021513428.tif 000003
【図２】
2021513428.tif 000004
【図３】
2021513428.tif 000005
【図４】
2021513428.tif 000006
【図５】
2021513428.tif 000007
【図６】
2021513428.tif 000008
【図７】
2021513428.tif 000009
【図８】
2021513428.tif 000010
【国際調査報告】
2021513428.tif 000011
2021513428.tif 000012